(57)【要約】【課題】複数の操作面を備える複数の機器を、快適かつ確実に操作することのできる印刷機の操作方法を提供することである。【解決手段】制御計算機（２０）と表示装置（２３）とを有する印刷機（１）を操作するための方法であって、第１のアプリケーションプログラムの第１の操作面（１８）と、第２のアプリケーションプログラムの少なくとも１つの第２の操作面（１９）とが表示装置（２３）に表示される方法において、  第１の操作面（１８）と第２の操作面（１９）とが表示装置（２３）上で、１つの共通の表示窓を形成する、ことを特徴とする方法。【選択図】図２
2012104118.tif 000002
【特許請求の範囲】
【請求項１】
制御計算機（２０）と表示装置（２３）とを有する印刷機（１）を操作するための方法であって、第１のアプリケーションプログラムの第１の操作面（１８）と、第２のアプリケーションプログラムの少なくとも１つの第２の操作面（１９）とが表示装置（２３）に表示される方法において、
第１の操作面（１８）と第２の操作面（１９）とが表示装置（２３）上で、１つの共通の表示窓を形成する、ことを特徴とする方法。
【請求項２】
第２の操作面（１９）は、ＨＴＭＬベースのブラウザアプリケーションまたはＪａｖａアプレットである、ことを特徴とする請求項１に記載の方法。
【請求項３】
第２の操作面（１９）は、印刷機（１）の端末機器（２，３，１７）の操作のためのものである、ことを特徴とする請求項１または２に記載の方法。
【請求項４】
第１の操作面（１８）と第２の操作面（１９）とは、１つの共通の表示窓で上位のプログラムによって制御される、ことを特徴とする請求項１から３までのいずれか一項に記載の方法。
【請求項５】
第１の操作面（１８）は、印刷機（１）の操作のための面である、ことを特徴とする請求項１から４までのいずれか一項に記載の方法。
【請求項６】
第１の操作面（１８）はバックグランドで、第２の操作面（１９）はフォアグランドで表示装置（２３）上で実行される、ことを特徴とする請求項１から５までのいずれか一項に記載の方法。
【請求項７】
第１の操作面（１８）と第２の操作面（１９）とは、表示に光学的変化なしで操作される、ことを特徴とする請求項６に記載の方法。
【請求項８】
第１の操作面（１８）が少なくとも１つのポップアップ窓を発生し、該ポップアップ窓は第２の操作面（１９）より小さい、ことを特徴とする請求項６または７に記載の方法。
【請求項９】
第１の操作面（１８）をフォアグランドに切り換える際に、表示装置（２３）上の第２の操作面の位置に静止画像がフェードインされ、該静止画像は、第２の操作面（１９）のスクリーンショットを含み、第２の操作面（１９）の個所にフェードインされる、ことを特徴とする請求項８に記載の方法。
【請求項１０】
第１の操作面（１８）のポップアップ窓が、フェードインされたスクリーンショットの上に置かれ、第１の操作面（１８）のポップアップ窓を閉じる際に、第２の操作面（１９）が再びフォアグランドで、スクリーンショットの個所にフェードインされる、ことを特徴とする請求項９に記載の方法。
【発明の詳細な説明】
【技術分野】
【０００１】
本発明は、制御計算機と、表示装置とを有する印刷機を操作するための方法に関するものであり、表示装置は、アプリケーションプログラムの第１の操作面および第２のアプリケーションプログラムの少なくとも１つの操作面を表示する。
【背景技術】
【０００２】
Ｗｉｎｄｏｗｓ（登録商標）のような標準オペレーションシステムから、各アプリケーションプログラムを画面に固有の表示窓で表示することが公知である。第１のプログラムの操作面から第２のプログラムの操作面へ切り換える場合には、マウスのような対応する操作エレメントにより、第２のプログラムの窓を前面に切り換えるか、または第１のプログラムの操作面を閉じなければならない。
【０００３】
さらに特許文献１から、操作面としてインターネットブラウザを装備した印刷機制御部が公知である。ここでは、Ｗｉｎｄｏｗｓで使用される一般的な標準インターネットブラウザが使用される。
【０００４】
さらに特許文献２から、ブラウザの形の固有の操作面を装備した印刷機用の端末機器が公知である。これにより新たな端末機器のための操作面を既存の印刷機の操作システムに簡単かつフレキシブルに組み込むことができる。
【０００５】
この公知技術は大きな欠点を有している。すなわち各使用される機器ごとに、操作面の形のブラウザアプリケーションを装備しなければならないことであり、そのため複数の機器が同時に操作される場合には、１つの操作面から別の操作面に切り換えなければならない。操作面表示窓をこのように頻繁に切り換えることは、Ｗｉｎｄｏｗｓからも既知であるが、ユーザにとって快適ではなく、ユーザが間違った窓を選択した場合には誤操作につながる。
【先行技術文献】
【特許文献】
【０００６】
【特許文献１】ＥＰ１２０８９７９Ａ１
【特許文献２】ＤＥ１０２００７０５６８７９Ａ１
【発明の概要】
【発明が解決しようとする課題】
【０００７】
したがって本発明の課題は、複数の操作面を備える複数の機器を、快適かつ確実に操作することのできる印刷機の操作方法を提供することである。
【課題を解決するための手段】
【０００８】
この課題は本発明により、請求項１によって解決され、本発明の有利な構成は従属請求項および図面に示されている。
【０００９】
本発明の方法は、プラグラム支援なしで確実な操作を可能にしなければならない機械の操作にとくに適する。これは、危険な機械状態をとり得る機械、たとえば印刷機の場合である。ここでは印刷機の制御計算機上で、それぞれ固有の操作面を有する少なくとも２つのアプリケーションプログラムが実行される。両方のアプリケーションプログラムは画面のような表示装置上に表示され、本発明によれば、第１の操作面と第２の操作面が画面上で１つの共通の表示窓を形成する。このことの利点は、２つの操作面を使用する際に操作者は２つの窓を、Ｗｉｎｄｏｗｓの場合のように切り換える必要がなく、常に１つの表示窓にだけ注意すればよいことである。ここで操作命令を実際に実行するための、バックグランドまたはフォアグランドの技術的な切換は、操作者には認識されずにバックグランドで行われる。したがって操作者には常に、２つの操作面の部分を備えるただ１つの表示窓が表示される。さらに一方の操作面のクラッシュが他方の操作面のクラッシュにつながらないという利点がある。なぜなら２つの別個のプログラムが並列で実行されているからである。これまでは、たとえば第２の操作面がブラウザとして機械操作面の直接的構成部分であり、ブラウザのクラッシュは必然的に機械操作面および印刷機全体のクラッシュを引き起こしていたが、本発明では機械操作部とブラウザが２つの別個のアプリケーションプログラムであり、したがって２つの操作面は影響し合わない。
【００１０】
本発明によれば、２つの操作面は、とりわけＨＴＭＬベースのブラウザアプリケーションまたはＪａｖａアプレットである。ＨＴＭＬブラウザまたはＪａｖａアプレットは、とりわけ端末機器に対して簡単にプログラミングできるので適する。さらに、ブラウザでのＨＴＭＬ標準規格およびＪａｖａアプレットは、小さなアプリケーションプログラムでもスタンダードとして確立している。しかし操作者にとって、第２の操作面がどのような技術に基づいているかは重要でない。なぜなら第１の操作面とともに共通の表示窓に組み込むこと、操作者にはまったく認識できず、操作者は実際には２つの操作面だけを見るように行われるからである。このようにして、第１の操作面を介する印刷機の操作と、端末機器を操作するための第２の操作面としてのブラウザ操作面とが並列して共通の表示窓として実現される。これにより操作者は、印刷機と端末機器のための１つの共通の操作面を見ているという印象を受ける。
【００１１】
さらに第１の操作面と第２の操作面は共通の表示窓で、上位のプログラムによって制御される。この上位のプログラムは、第１の操作面と第２の操作面を互いに独立してスタートし、終了することができる。これにより、１つの操作面のクラッシュが別の操作面に関係しない。また、操作者は操作面のスタートまたは停止に煩わされることがない。なぜなら、操作者にはただ１つの共通の表示窓が表示されるだけであり、操作者は操作面を個別のアプリケーションとして認識することができないからである。Ｗｉｎｄｏｗｓの場合のような窓技術が放棄されるから、エラー源もなくなり、ユーザは窓を意識せずに閉じることにより、自分が操作するアプリケーションを終了する。アプリケーションの終了とスタートは、本発明ではユーザの義務ではなく、第１の操作面と第２の操作面を監視し、制御する上位プログラムの義務である。
【００１２】
本発明の別の構成では、第１の操作面が技術的に表示装置のバックグランドで、第２の操作面が技術的に表示装置のフォアグランドで実行される。ここでバックグランドおよびフォアグランドとは、アクティブな操作面がフォアグランドで実行され、使用されない操作面がバックグランドで実行されると理解すべきである。しかし表示装置上で操作者は光学的に差異を認識することができない。なぜなら、フォアグランドまたはバックグランドに切り換えなければならない窓が存在しないので表示が変化しないからである。したがってここでは、バックグランドおよびフォアグランドとは技術的な実行であり、アクティブなプログラムフォアグランドで実行され、パッシブなプログラムがバックグランドで実行される。ここでは技術的観点から、機械操作がバックグランドで実行され、第２の操作面はブラウザアプリケーションの形で、画面上でフォアグランドで実行される。しかしブラウザがフォアグランドにあっても、ブラウザが再びバックグランドに消えることなしに機械の操作ができなければならない。ここではバックグランドにある機械操作をいわゆるポップアップ窓に切り換えることができる。しかしこれは、機械操作のバックグランドで実行される第１の操作面に依然として所属する。このポップアップ窓は、第２の操作面のブラウザ面より小さくすることができ、フォアグランドに、すなわちブラウザを介して表示される。このことを実現するために、操作面をフォアグランドに切り換えなければならず、その上にポップアップ窓が現れる。
【００１３】
ここで本発明によれば、第１の操作面をフォアグランドに切り換える際に、表示装置上の第２の操作面の位置に静止画像がフェードインされる。この静止画像は、第２の操作面のスクリーンショットを含むものであり、第２の操作面の個所にフェードインされる。それ以外の場合、以前に第２の操作面のブラウザがフェードインされていた個所にはブラックホールが現れる。したがって印刷者はこれらすべての過程から何も認識せず、第２の操作面のブラウザからポップアップ窓に切り換える前に、第１の操作面と同じ個所に機械操作用のスクリーンショットがフェードインされる。第２の操作面のこのスクリーンショットの上に、第１の操作面のポップアップ窓が置かれる。第２の操作面のブラウザはバックグランドで不可視となる。
【００１４】
さらに本発明によれば、第１の操作面のポップアップ窓が、フェードインされたスクリーンショットの上に置かれ、第１の操作面のポップアップ窓を閉じる際に、第２の操作面が再びフォアグランドで、スクリーンショットの個所にフェードインされる。第１の操作面のポップアップ窓を閉じた後に、第２の操作面のブラウザが再びフォアグランドに切り換えられ、ちょうどスクリーンショットの個所に現れる。これにより操作者は、スクリーンショットの代わりにブラウザの第２の操作面を再び見ていることを認識しない。
【００１５】
本発明を以下、２つの図面に基づいて詳細に説明する。
【図面の簡単な説明】
【００１６】
【図１】制御コンポーネントを備える操作機械の外観図である。
【図２】１つの窓に少なくとも２つの操作面が表示された表示窓を備える本発明の表示装置の外観図である。
【発明を実施するための形態】
【００１７】
図１は、５つの印刷機６と、後置接続されたラッカー機構７を備える枚葉紙印刷機１を示す。枚葉紙の形の印刷材料は、紙送り装置２で送り紙積層体５から取り出され、吸引ベルトテーブル１５を介して第１の印刷機構６に引き渡される。印刷機構６はほとんど同じように構成されており、印刷ドラム１０、ブランケットシリンダ１３およびプレートシリンダ１４ならびにそれぞれのインキ機構１１と湿し機構１２を有する。印刷機構６の間で枚葉紙は搬送ドラム９により、印刷機構６とラッカー機構７を通して搬送される。ラッカー機構７の出口には色測定装置１７が設けられており、この色測定装置１７は印刷材料の印刷品質を検出し、通信接続１６を介して印刷機１の制御計算機２０に通知する。完成した印刷材料は、紙取り出し装置３にある取り出しチェーン８により、取り出し紙積層体４の上に積み重ねられる。
【００１８】
制御計算機２０は、印刷機１のメイン駆動部と、印刷機構６にある種々の調整モータを制御し、さらにこれらに所属する端末機器、たとえば印刷空気供給部または紙取り出し装置３にあるパウダー機構も制御する。制御計算機２０は、この制御計算機２０とやはり通信接続１６を介して接続されている所属の計算機を備える画面２３を介して操作される、とりわけ制御計算機２０には、テーブル色測定装置２２の形の別の色測定装置が接続されている。このテーブル色測定装置２２により、取り出し紙積層体４から取り出された印刷材料の印刷品質を検査することができる。ここでは印刷機１と端末機器の操作のために種々の操作面が設けられている。たとえばここでは２つの操作面１８，１９が設けられているが、それ以上でも良い。
【００１９】
図２によれば、第１の操作面１８と第２の操作面１９が、タッチスクリーンとして実施された画面２３上で１つの共通の窓に表示される。これによりユーザは、異なる操作面のために異なる表示窓を、たとえばＷｉｎｄｏｗｓの場合のように切り換える必要がない。図２で第１の操作面１８はバックグランドに切り換えられたアクティブでない操作面として図示されており、一方、第２の操作面１９はフォアグランドに切り換えられたアクティブな操作面として表示されている。操作者が第１の操作面１８にアクセスしようとするとき、操作者は第２の操作面１９の周りにある対応する領域にタッチするか、またはマウスでクリックする。しかしこれにより差し当たり光学的には何も変化しない。ここでは、第１の操作面１９がいわゆるポップアップ窓を発生することが頻繁に生じる。このポップアップ窓は第２の操作面１９の上にフェードインされる。しかしポップアップ窓は面積的に第２の操作面１９より小さいから、第１の操作面１８がフォアグランドに切り換えられる際にブラックホールが生じる。しかしこのブラックホールは本発明では第２の操作面１９のバックグランド画像２１により回避される。バックグランド画像２１は第２の操作面１９のスクリーンショットである。したがって操作者は、第２の操作面１９がバックグランドに切り換えられたことを認識しない。
【００２０】
この形式の操作の利点は、２つの操作面１８，１９が画面２３上で１つの共通の表示窓に表示されることであり、そのため操作者は、これが２つの異なる操作面１８，１９であり、１つの共通の操作面ではないことをまったく認識しない。操作面１８，１９の１つがクラッシュした場合、これを他方とは関係なく制御計算機２０により再びスタートすることができる。したがって端末機器を操作するための操作面である第２の操作面１９がクラッシュした場合でも、好ましくは機械操作面である第１の操作面１８はクラッシュしない。ここでもクラッシュした操作面が再び実行可能になるまでスクリーンショット２１がフェードインされる。したがって操作者はクラッチについてほとんど認識しない。本発明は、操作が快適であるだけでなく、印刷機１の信頼性のある確実な操作が可能であるという利点を有する。ここで第２の操作面１９は好ましくは、ＨＴＭＬブラウザまたはＪａｖａアプレットとして実施されている。
【符号の説明】
【００２１】
１  印刷機
２  紙送り装置
３  紙取り出し装置
４  取り出し紙積層体
５  送り紙積層体
６  印刷機構
７  ラッカー機構
８  取り出しチェーン
９  搬送ドラム
１０  印刷ドラム
１１  インキ機構
１２  湿し機構
１３  ブランケットシリンダ
１４  プレートシリンダ
１５  吸引ベルトテーブル
１６  通信接続
１７  色測定装置
１８  第１の操作面
１９  第２の操作面
２０  制御計算機
２１  バックグランド画像
２２  テーブル色測定装置
２３  画面
【図１】
2012104118.tif 000003
【図２】
2012104118.tif 000004